(57)【要約】【課題】既存のシステムへの影響を抑制しつつ、自動的かつ迅速に常時発光による通信障害からの復旧を図る。【解決手段】本発明の光通信システムは、局側装置と、複数の加入者装置と、前記局側装置と前記複数の加入者装置との間に設けられた光分配器と、を備え、前記光分配器は、前記局側装置と光伝送路を介して接続されるとともに、該光伝送路を前記複数の加入者装置それぞれに対応する複数の光伝送路に分岐する光カプラと、前記複数の光伝送路のそれぞれに設けられた複数の光スイッチと、を有し、前記光通信システムに通信障害が発生すると、対応する加入者装置と前記光カプラとを遮断させる光スイッチを順次切り替えながら前記通信障害が解消されたか否かを判定し、前記通信障害が解消されたと判定した時点で遮断させている光スイッチの遮断状態を維持する制御手段を備える。【選択図】図１
2014171079.tif 000002
【特許請求の範囲】
【請求項１】
局側装置と、複数の加入者装置と、前記局側装置と前記複数の加入者装置との間に設けられた光分配器と、を備える光通信システムであって、
前記光分配器は、
前記局側装置と光伝送路を介して接続されるとともに、該光伝送路を前記複数の加入者装置それぞれに対応する複数の光伝送路に分岐する光カプラと、
前記複数の光伝送路のそれぞれに設けられた複数の光スイッチと、を有し、
前記光通信システムに通信障害が発生すると、対応する加入者装置と前記光カプラとを遮断させる光スイッチを順次切り替えながら前記通信障害が解消されたか否かを判定し、前記通信障害が解消されたと判定した時点で遮断させている光スイッチの遮断状態を維持する制御手段を備えることを特徴とする光通信システム。
【請求項２】
請求項１記載の光通信システムにおいて、
前記制御手段は、前記局側装置および前記光分配器にそれぞれ設けられ、
前記光分配器は、
光信号の入出力を行う光モジュールをさらに有し、
前記光カプラは、前記局側装置と接続される光伝送路を前記光モジュールに対応してさらに分岐し、
前記光通信システムに通信障害が発生した際に、前記局側装置と前記光モジュールとが光通信可能である場合には、前記局側装置に設けられた制御手段が、前記複数の光スイッチの制御を行い、前記局側装置と前記光モジュールとが光通信可能でない場合には、前記光分配器に設けられた制御手段が、前記複数の光スイッチの制御を行うことを特徴とする光通信システム。
【請求項３】
請求項２記載の光通信システムにおいて、
前記光モジュールに対応する光伝送路に設けられた光スイッチをさらに備え、
前記制御手段は、前記光通信システムに通信障害が発生すると、前記光スイッチに前記光モジュールと前記光カプラとを遮断させ、前記通信障害が解消されたか否かを判定することを特徴とする光通信システム。
【請求項４】
局側装置と、複数の加入者装置と、前記局側装置と前記複数の加入者装置との間に設けられた光分配器と、を備える光通信システムの制御方法であって、
前記光分配器は、
前記局側装置と光伝送路を介して接続されるとともに、該光伝送路を前記複数の加入者装置それぞれに対応する複数の光伝送路に分岐する光カプラと、
前記複数の光伝送路のそれぞれに設けられた複数の光スイッチと、を有し、
制御手段が、前記光通信システムに通信障害が発生すると、対応する加入者装置と前記光カプラとを遮断させる光スイッチを順次切り替えながら前記通信障害が解消されたか否かを判定し、前記通信障害が解消されたと判定した時点で遮断させていた光スイッチの遮断状態を維持することを特徴とする制御方法。
【請求項５】
請求項４記載の制御方法において、
前記制御手段は、前記局側装置および前記光分配器にそれぞれ設けられ、
前記光分配器は、
光信号の入出力を行う光モジュールをさらに有し、
前記光カプラは、前記局側装置と接続される光伝送路を前記光モジュールに対応してさらに分岐し、
前記光通信システムに通信障害が発生した際に、前記局側装置と前記光モジュールとが光通信可能である場合には、前記局側装置に設けられた制御手段が、前記複数の光スイッチの制御を行い、前記局側装置と前記光モジュールとが光通信可能でない場合には、前記光分配器に設けられた制御手段が、前記複数の光スイッチの制御を行うことを特徴とする制御方法。
【請求項６】
請求項４記載の光通信システムにおいて、
前記光モジュールに対応する光伝送路に設けられた光スイッチをさらに備え、
前記制御手段は、前記光通信システムに通信障害が発生すると、前記光スイッチに前光モジュールと前記光カプラとを遮断させ、前記通信障害が解消されたか否かを判定することを特徴とする制御方法。
【請求項７】
光通信システムを構成し、局側装置と複数の加入者装置との間に設けられた光分配器であって、
前記局側装置と光伝送路を介して接続されるとともに、該光伝送路を前記複数の加入者装置それぞれに対応する複数の光伝送路に分岐する光カプラと、
前記複数の光伝送路のそれぞれに設けられた複数の光スイッチと、を有し、
前記光通信システムに通信障害が発生すると、対応する加入者装置と前記光カプラとを遮断させる光スイッチを順次切り替えながら前記通信障害が解消されたか否かを判定し、前記通信障害が解消されたと判定した時点で遮断させていた光スイッチの遮断状態を維持する制御部と、を有することを特徴とする光分配器。
【請求項８】
請求項７記載の光分配器において、
光信号の入出力を行う光モジュールと、
前記局側装置と接続された光伝送路が前記光カプラにより前記光モジュールに対応して分岐された光伝送路に設けられた光スイッチと、をさらに備えることを特徴とする光分配器。
【発明の詳細な説明】
【技術分野】
【０００１】
本発明は、光通信システムとその制御方法、および、光分配器に関する。
【背景技術】
【０００２】
光通信事業者の局舎内に設けられる局側装置であるＯＬＴ（Ｏｐｔｉｃａｌ  Ｌｉｎｅ  Ｔｅｒｍｉｎａｌ）装置と加入者宅などに設けられる加入者装置である複数のＯＮＵ（Ｏｐｔｉｃａｌ  Ｎｅｔｗｏｒｋ  Ｕｎｉｔ）とが光通信を行う光通信システムの一例として、ＧＥ−ＰＯＮ（Ｇｉｇａｂｉｔ  Ｅｔｈｅｒｎｅｔ（登録商標）  Ｐａｓｓｉｖｅ  Ｏｐｔｉｃａｌ  Ｎｅｔｗｏｒｋ）システムがある。
【０００３】
図８は、ＧＥ−ＰＯＮシステム８０の構成を示す図である。
【０００４】
ＧＥ−ＰＯＮシステム８０は、ＯＬＴ装置８１と、光カプラ８４と、複数のＯＮＵ装置８６（８６−１〜８６〜Ｎ）と、を備える。
【０００５】
ＯＬＴ装置８１は、光モジュール８２を有する。
【０００６】
光モジュール８２は、光伝送路である光ファイバケーブル８３に接続されており、光ファイバケーブル８３を介して光信号の入出力を行う。
【０００７】
光カプラ８４は、光ファイバケーブル８３と接続され、光ファイバケーブル８３をＯＮＵ装置８６−１〜８６−Ｎそれぞれに対応する光ファイバ８５−１〜８５−Ｎに分岐させる。
【０００８】
ＯＮＵ装置８６−１は、光モジュール８７−１を有する。
【０００９】
光モジュール８７−１は、ＯＮＵ装置８６−１に対応する光ファイバケーブル８５−１と接続されており、光ファイバケーブル８５−１を介して光信号の入出力を行う。
【００１０】
ＯＮＵ装置８６−１と同様に、ＯＮＵ装置８６−２〜８６−Ｎはそれぞれ、対応する光ファイバケーブル８５−２〜８５−Ｎが接続された光モジュール８７−２〜８７−Ｎを有する。
【００１１】
図８に示すＧＥ−ＰＯＮシステム８０においては、ＯＬＴ装置１０と接続される光ファイバケーブル８３が複数のＯＮＵ装置により共有される。このように、１本の光ファイバケーブル８３が複数のＯＮＵ装置により共有される接続方式は、ダブルスター方式と称される。ダブルスター方式では、ＯＮＵ装置毎にＯＬＴ装置と直接接続される光ファイバケーブルを設けるシングルスター方式と比較して、インフラコストの増加を抑制することができる。
【００１２】
ダブルスター方式のＧＥ−ＰＯＮシステム８０においては、ＯＮＵ装置８６−１〜８６−ＮからＯＬＴ装置８１への上り方向のデータ通信は、時分割多重方式により行われる。
【００１３】
ＯＬＴ装置８１は、各ＯＮＵ装置からの上り方向の光信号が光ファイバケーブル８３で衝突しないように、データ通信を行う時間を各ＯＮＵ装置に割り当てる。ＯＮＵ装置８６−１〜８６−Ｎはそれぞれ、ＯＬＴ装置８１により割り当てられた時間にデータを送信する。
【００１４】
図９は、ＯＮＵ装置８６−１〜８６−Ｎが光信号を出力するタイミング（ＯＮＵ装置８６−１〜８６−Ｎそれぞれの光モジュール８７−１〜８７−Ｎの発光タイミング）の一例を示す図である。
【００１５】
図９に示すように、ＯＮＵ装置８６−１は、時刻ｔ１から時刻ｔ２の間だけ光モジュール８７−１を発光させ、光信号を出力する。ＯＮＵ装置８６−２は、時刻ｔ２後の時刻ｔ３から時刻ｔ４の間だけ光モジュール８７−２を発光させ、光信号を出力する。ＯＮＵ装置１６−３は、時刻ｔ４後の時刻ｔ５から時刻ｔ６の間だけ光モジュール８７−３を発光させ、光信号を出力する。このように、ＯＬＴ装置８１は、各ＯＮＵ装置が光信号を出力する期間が重複しないようにする。
【００１６】
ここで、特定のＯＮＵ装置（例えば、ＯＮＵ装置８６−３）の光モジュール８７−３が故障し、常時発光する状態となったとする。この状態では、図１０に示すように、ＯＮＵ装置８６−３は、自装置に割り当てられた期間（時刻ｔ５から時刻ｔ６までの間）に光を出力するだけでなく、他の正常なＯＮＵ装置に割り当てられた期間にも、光モジュール８７−３から光を出力してしまう。
【００１７】
ＯＮＵ装置８６−３に割り当てられた期間においては、正常なＯＮＵ装置は光信号を出力していないため、ＯＮＵ装置８６−３は、ＯＬＴ装置８１と通信を行うことができる。一方、正常なＯＮＵ装置に割り当てられた期間においては、他のＯＮＵ装置から出力された光信号と光モジュール８７−３から出力された光との衝突が起こる。
【００１８】
正常なＯＮＵ装置から出力された光信号のパワーが、光モジュール８７−３から出力された光のパワーよりも十分に大きければ、上記の衝突が起こっても、正常なＯＮＵ装置から出力された光信号の波形が維持され、ＯＬＴ装置８１との通信が可能となる。しかし、正常なＯＮＵ装置から出力された光信号のパワーが、光モジュール８７−３から出力された光のパワーよりも十分に大きくなければ、正常なＯＮＵ装置から出力された光信号の波形が潰されてしまい、ＯＬＴ装置８１との通信が困難となる。
【００１９】
このように、ダブルスター方式のＧＥ−ＰＯＮシステム８０においては、ＯＮＵ装置の光モジュールが常時発光すると、多くの正常なＯＮＵ装置の上り方向のデータ通信が困難となり、深刻な通信障害を引き起こしてしまう。そこで、光モジュールの常時発光による通信障害から、正常なＯＮＵ装置とＯＬＴ装置との光通信が可能な状態に復旧するための様々の技術が検討されている。
【００２０】
特許文献１（特開２００９−１１８０６４号公報）には、ＯＬＴ装置が、複数のＯＮＵ装置のそれぞれに対して順次、光出力手段の一時的な消光動作を指示し、ＯＮＵ装置とのリンク数を監視することで、常時発光している光出力手段を備えるＯＮＵ装置を特定し、特定したＯＮＵ装置に光出力手段を消光させる（電力の供給を遮断させる）技術が開示されている。
【００２１】
また、特許文献２（特開２０１０−２１９８７８号公報）、および、特許文献３（特開２０１１−２９８８３号公報）には、ＯＮＵ装置において、光出力手段からの光の出力状態を監視し、その監視結果から光出力手段が常時発光しているか否かを判定し、常時発光していると判定した場合には、光検出手段への電力供給を遮断する技術が開示されている。
【先行技術文献】
【特許文献】
【００２２】
【特許文献１】特開２００９−１１８０６４号公報
【特許文献２】特開２０１０−２１９８７８号公報
【特許文献３】特開２０１１−２９８８３号公報
【発明の概要】
【発明が解決しようとする課題】
【００２３】
光モジュールの常時発光による通信障害からの復旧方法には、保守員が故障した装置を交換するなどの作業を実施することなく自動的に、かつ、迅速に通信障害から復旧できること、また、既に運用されている光通信システムに対する変更が少なく、容易に適用可能であることが求められる。
【００２４】
特許文献１に開示の技術においては、ＯＮＵ装置自体の故障により、光出力手段が常時発光している場合もあり、このような場合には、ＯＬＴ装置からの指示がＯＮＵ装置において適切に処理されない可能性がある。そのため、確実に通信障害から復旧することができるとは限らない。
【００２５】
また、特許文献２，３に開示の技術においては、既存の光通信システムにおけるＯＮＵ装置を、特許文献２，３に開示されるようなＯＮＵ装置に置き換える必要があるため、既に運用されている光通信システムに容易に適用することはできない。
【００２６】
本発明の目的は、既存の光通信システムへの影響を抑制しつつ、自動的かつ迅速に常時発光による通信障害からの復旧を図ることができる光通信システムとその制御方法、および、光分配器を提供することにある。
【課題を解決するための手段】
【００２７】
上記目的を達成するために本発明の光通信システムは、
局側装置と、複数の加入者装置と、前記局側装置と前記複数の加入者装置との間に設けられた光分配器と、を備える光通信システムであって、
前記光分配器は、
前記局側装置と光伝送路を介して接続されるとともに、該光伝送路を前記複数の加入者装置それぞれに対応する複数の光伝送路に分岐する光カプラと、
前記複数の光伝送路のそれぞれに設けられた複数の光スイッチと、を有し、
前記光通信システムに通信障害が発生すると、対応する加入者装置と前記光カプラとを遮断させる光スイッチを順次切り替えながら前記通信障害が解消されたか否かを判定し、前記通信障害が解消されたと判定した時点で遮断させている光スイッチの遮断状態を維持する制御手段を備える。
【００２８】
上記目的を達成するために本発明の光通信システムの制御方法は、
局側装置と、複数の加入者装置と、前記局側装置と前記複数の加入者装置との間に設けられた光分配器と、を備える光通信システムの制御方法であって、
前記光分配器は、
前記局側装置と光伝送路を介して接続されるとともに、該光伝送路を前記複数の加入者装置それぞれに対応する複数の光伝送路に分岐する光カプラと、
前記複数の光伝送路のそれぞれに設けられた複数の光スイッチと、を有し、
制御手段が、前記光通信システムに通信障害が発生すると、対応する加入者装置と前記光カプラとを遮断させる光スイッチを順次切り替えながら前記通信障害が解消されたか否かを判定し、前記通信障害が解消されたと判定した時点で遮断させていた光スイッチの遮断状態を維持する。
【００２９】
上記目的を達成するために本発明の光分配器は、
光通信システムを構成し、局側装置と複数の加入者装置との間に設けられた光分配器であって、
前記局側装置と光伝送路を介して接続されるとともに、該光伝送路を前記複数の加入者装置それぞれに対応する複数の光伝送路に分岐する光カプラと、
前記複数の光伝送路のそれぞれに設けられた複数の光スイッチと、を有し、
前記光通信システムに通信障害が発生すると、対応する加入者装置と前記光カプラとを遮断させる光スイッチを順次切り替えながら前記通信障害が解消されたか否かを判定し、前記通信障害が解消されたと判定した時点で遮断させていた光スイッチの遮断状態を維持する制御部と、を有する。
【発明の効果】
【００３０】
本発明によれば、既存の光通信システムへの影響を抑制しつつ、自動的かつ迅速に常時発光による通信障害からの復旧を図ることができる。
【図面の簡単な説明】
【００３１】
【図１】本発明の第１の実施形態の光通信システムの構成を示す図である。
【図２】図１に示すＯＬＴ装置の動作を示すフローチャートである。
【図３】図１に示す光通信システムのＯＬＴ装置主導の復旧動作時のフローチャートである。
【図４】図１に示す光通信システムの光分配器主導の復旧動作時のフローチャートである。
【図５】本発明の第２の実施形態の光通信システムの構成を示す図である。
【図６】図５に示す光通信システムのＯＬＴ装置主導の復旧動作時のフローチャートである。
【図７】図５に示す光通信システムの常時発光診断動作時のフローチャートである。
【図８】関連するＧＥ−ＰＯＮシステムの構成を示す図である。
【図９】図８に示すＯＮＵ装置からの光信号の送信タイミングの一例を示す図である。
【図１０】図８に示す光モジュールの常時発光による通信障害について説明する図である。
【発明を実施するための形態】
【００３２】
以下に、本発明を実施するための形態について図面を参照して説明する。
【００３３】
（第１の実施形態）
図１は、本発明の第１の実施形態の光通信システム１の構成を示す図である。
【００３４】
図１に示す光通信システム１は、ＯＬＴ装置１０と、光分配器２０と、ＯＮＵ装置３０−１〜３０−（Ｎ−１）と、で構成されるＧＥ−ＰＯＮシステムである。
【００３５】
ＯＬＴ装置１０は、通信事業者の局舎内に設置される局側装置であり、光モジュール１１と、制御部１２と、を有する。
【００３６】
光モジュール１１は、光伝送路である光ファイバケーブル１３に接続され、光ファイバケーブル１３を介して光信号の入出力を行う。
【００３７】
制御部１２は、ＯＬＴ装置１０全体の動作を制御する。制御部１２は、制御手段の一例である。
【００３８】
光分配器２０は、ＯＬＴ装置１０とＯＮＵ装置３０−１〜３０−（Ｎ−１）との間に設けられ、光カプラ２１と、光スイッチ２２−１〜２２−（Ｎ−１）と、ＯＮＵ機能ブロック２３と、を有する。
【００３９】
光カプラ２１は、光ファイバケーブル１３と接続され、光ファイバケーブル１３をＯＮＵ装置３０−１〜３０−（Ｎ−１）それぞれに対応する光ファイバケーブル２４−１〜２４−（Ｎ−１）、および、ＯＮＵ機能ブロック２３に対応する光ファイバケーブル２４−Ｎに分岐させる。
【００４０】
光スイッチ２２−１は、ＯＮＵ装置３０−１に対応して設けられ、ＯＮＵ装置３０−１に対応する光ファイバケーブル２４−１上に設けられている。光スイッチ２２−１がオンとなることで、光カプラ２１とＯＮＵ装置３０−１とが接続され、光スイッチ２２−１がオフとなることで、光カプラ２１とＯＮＵ装置３０−１とが遮断される。同様に、光スイッチ２２−２〜２２−（Ｎ−１）もそれぞれ、ＯＮＵ装置に対応して設けられている。
【００４１】
ＯＮＵ機能ブロック２３は、ＯＮＵ装置３０−１〜３０−（Ｎ−１）と同様に、ＯＬＴ装置１０との間で光通信を行う機能を有するブロックである。ＯＮＵ機能ブロック２３は、光モジュール２３１と、スイッチ切り替え部２３２と、制御部２３３と、を有する。
【００４２】
光モジュール２３１は、光ファイバケーブル２４−Ｎと接続され、光ファイバケーブル２４−Ｎを介して光信号の入出力を行う。
【００４３】
スイッチ切り替え部２３２は、光スイッチ２２−１〜２２−（Ｎ−１）それぞれのオン、オフを制御するスイッチ制御信号を出力する。なお、通常は、光スイッチ２２−１〜２２−（Ｎ−１）は、オンである。
【００４４】
制御部２３３は、光分配器２０全体の動作を制御する。制御部２３３は、制御手段の一例である。
【００４５】
ＯＮＵ装置３０−１〜３０−（Ｎ−１）はそれぞれ、加入者宅に設置される加入者装置である。
【００４６】
ＯＮＵ装置３０−１は、光モジュール３１−１を有している。
【００４７】
光モジュール３１−１は、ＯＮＵ装置３０−１に対応する光ファイバケーブル２４−１と接続されており、光ファイバケーブル２４−１を介して光信号の入出力を行う。
【００４８】
ＯＮＵ装置３０−１と同様に、ＯＮＵ装置３０−２〜１６−（Ｎ−１）はそれぞれ、対応する光ファイバケーブル２４−２〜２４−（Ｎ−１）が接続された光モジュール３１−２〜３１−（Ｎ−１）を有している。
【００４９】
次に、通信システム１の動作について説明する。
【００５０】
図２は、ＯＬＴ装置１０の制御部１２の動作を示すフローチャートである。
【００５１】
なお、以下では、光スイッチ２２−１〜２２−（Ｎ−１）は全てオンであるとする。したがって、ＯＮＵ装置３０−１〜３０−（Ｎ−１）は、ＯＬＴ装置１０と光通信が可能な（リンクが確立された）状態である。
【００５２】
制御部１２は、ＯＮＵ装置３０−１〜３０−（Ｎ−１）それぞれとの接続状態を監視しており、リンクが確立されているＯＮＵ装置の数（以下、リンク数と称する）の減少を検出すると（ステップＳ１０１）、ＯＮＵ装置３０−１〜３０−（Ｎ−１）のいずれかの光モジュールの常時発光による通信障害により、いくつかのＯＮＵ装置とのリンクが切断されたと推定する（ステップＳ１０２）。
【００５３】
次に、制御部１２は、ＯＮＵ機能ブロック２３とのリンクが確立されているか否か、すなわち、ＯＮＵ機能ブロック２３の光モジュール２３１との光通信が可能であるか否かを判定する（ステップＳ１０３）。
【００５４】
ＯＮＵ機能ブロック２３とのリンクが確立されている場合には（ステップＳ１０３：Ｙｅｓ）、制御部１２は、光モジュールの常時発光による通信障害の発生をＯＮＵ機能ブロック２３が検出することができない可能性があるため、ＯＬＴ装置１０主導の復旧動作を開始する（ステップＳ１０４）。
【００５５】
ＯＮＵ機能ブロック２３とのリンクが確立されていない場合には（ステップＳ１０３：Ｎｏ）、制御部１２は、光分配器２０主導の復旧動作が行われると推定し、処理を終了する。
【００５６】
次に、ＯＬＴ装置１０主導の復旧動作について説明する。
【００５７】
図３は、ＯＬＴ装置１０主導の復旧動作時のフローチャートである。
【００５８】
制御部１２は、ＯＮＵ装置を特定するための変数Ｘを定義し、変数Ｘの初期値として１を設定する。
【００５９】
次に、制御部１２は、変数Ｘで特定されるＯＮＵ装置３０−Ｘに対応する光スイッチ２２−Ｘをオフにする旨を指示する制御データをＯＮＵ機能ブロック２３に送信する（ステップＳ２０１）。上述したように、変数Ｘの初期値は１であるので、制御部１２は、光スイッチ２２−１をオフにする旨を指示する制御データをＯＮＵ機能ブロック２３に送信する。
【００６０】
光スイッチ２２−１をオフにする旨を指示する制御データがＯＬＴ装置１０から送信されてくると、スイッチ切り替え部２３２は、その制御データに従い、光スイッチ２２−１をオフにする（ステップＳ２０２）。なお、上述したように、通常、全ての光スイッチがオンである。光スイッチ２２−１がオフとなることで、光スイッチ２２−１に対応するＯＮＵ装置３０−１が光回線から切り離される。
【００６１】
次に、制御部１２は、リンク数が正常な値になったか否かを判定する（ステップＳ２０３）。なお、上述したように、ＯＮＵ装置３０−１が光回線から切り離されている。したがって、正常な値とは、図２のステップＳ１０１においてリンク数が減少する前のリンク数よりも１少ない値である。
【００６２】
ＯＮＵ装置のリンク数が正常な値になっていない場合には（ステップＳ２０３：Ｎｏ）、制御部１２は、光スイッチ２２−１をオンにする旨を指示する制御データをＯＮＵ機能ブロック２３に送信する（ステップＳ２０４）。
【００６３】
光スイッチ２２−１をオンにする旨を指示する制御データがＯＬＴ装置１０から送信されてくると、スイッチ切り替え部２３２は、その制御データに従い、光スイッチ２２−１をオンにする（ステップＳ２０５）。光スイッチ２２−１がオンとなることで、ＯＮＵ装置３０−１が再び、光回線に接続される。
【００６４】
次に、制御部１２は、変数Ｘ＝Ｎ−１であるか否かを判定する（ステップＳ２０６）。なお、Ｎは、光カプラ２１による光ファイバケーブル１３の分岐数である。
【００６５】
変数Ｘ＝Ｎ−１でない場合には（ステップＳ２０６：Ｎｏ）、制御部１２は、変数Ｘに１を加算し（ステップＳ２０７）、ステップＳ２０１の処理に戻る。制御部１２は、ステップＳ２０１，２０３，２０４，２０６，２０７の処理を、リンク数が正常な値になるまで繰り返す。
【００６６】
ある変数Ｘにおいて、リンク数が正常な値になり、通信障害が解消されたと判定すると（ステップＳ２０３：Ｙｅｓ）、制御部１２は、ＯＮＵ装置３０−Ｘの光モジュールが常時発光していると判断する（ステップＳ２０８）。
【００６７】
次に、制御部１２は、通信障害が解消されたと判定した時点でオフにさせていた光スイッチ２２−Ｘのオフ状態をスイッチ切り替え部２３２に維持させ（ステップＳ２０９）、通信障害は復旧したと判断し（ステップＳ２１０）、処理を終了する。
【００６８】
ステップＳ２０１，２０３，２０４，２０６，２０７の処理を繰り返し、変数Ｘ＝Ｎ−１となると（ステップＳ２０６：Ｙｅｓ）、制御部１２は、通信障害の原因は光モジュールの常時発光ではないと判断し（ステップＳ２１１）、処理を終了する。
【００６９】
次に、光分配器２０主導の復旧動作について説明する。
【００７０】
図４は、光分配器２０主導の復旧動作時のフローチャートである。
【００７１】
制御部２３３は、ＯＬＴ装置１０との接続状態を常に監視しており、ＯＬＴ装置１０とのリンクの切断を検出すると（ステップＳ３０１）、ＯＮＵ装置３０−１〜３０−（Ｎ−１）のいずれかの光モジュールの常時発光による通信障害により、ＯＬＴ装置１０とのリンクが切断されたと推定する（ステップＳ３０２）。
【００７２】
次に、制御部２３３は、ＯＮＵ装置を特定するための変数Ｙを定義し、変数Ｙの初期値として１を設定する。
【００７３】
次に、制御部２３３は、変数Ｙで特定されるＯＮＵ装置３０−Ｙに対応する光スイッチ２２−Ｙをオフにする旨を指示する制御データをスイッチ切り替え部２３２に出力する。上述したように、変数Ｙの初期値は１であるので、制御部２３３は、光スイッチ２２−１をオフにする旨を指示する制御データを出力する。スイッチ切り替え部２３２は、その制御データに従い、光スイッチ２２−１をオフにする（ステップＳ３０３）。なお、上述したように、通常は、全ての光スイッチがオンである。光スイッチ２２−１がオフとなることで、光スイッチ２２−１に対応するＯＮＵ装置３０−１が光回線から切り離される。
【００７４】
次に、制御部２３３は、ＯＬＴ装置１０とのリンクが確立できたか否かを判定する（ステップＳ３０４）。
【００７５】
ＯＬＴ装置１０とのリンクが確立できていない場合には（ステップＳ３０４：Ｎｏ）、制御部２３３は、光スイッチ２２−１をオンにする旨を指示する制御データをスイッチ切り替え部２３２に出力する。スイッチ切り替え部２３２は、その制御データに従い、光スイッチ２２−１をオンにする（ステップＳ３０５）。光スイッチ２２−１がオンとなることで、ＯＮＵ装置３０−１が再び、光回線に接続される。
【００７６】
次に、制御部２３３は、次に、変数Ｙ＝Ｎ−１であるか否かを判定する（ステップＳ３０６）。なお、Ｎは、光カプラ２１による光ファイバケーブル１３の分岐数である。
【００７７】
変数Ｙ＝Ｎ−１でない場合には（ステップＳ３０６：Ｎｏ）、制御部２３３は、変数Ｙに１を加算し（ステップＳ３０７）、ステップＳ３０３の処理に戻る。制御部２３３は、ステップＳ３０３〜３０７の処理を、ＯＬＴ装置１０とのリンクが確立されるまで繰り返す。
【００７８】
ある変数Ｙにおいて、ＯＬＴ装置１０とのリンクが確立され、通信障害が解消されたと判定すると（ステップＳ３０４：Ｙｅｓ）、制御部２３３は、ＯＮＵ装置３０−Ｙの光モジュールが常時発光していると判断する（ステップＳ３０８）。
【００７９】
次に、制御部２３３は、通信障害が解消されたと判定した時点でオフにさせていた光スイッチ２２−Ｙのオフ状態をスイッチ切り替え部２３２に維持させ（ステップＳ３０９）、通信障害は復旧したと判断し（ステップＳ３１０）、処理を終了する。
【００８０】
ステップＳ３０３〜３０７の処理を繰り返し、変数Ｙ＝Ｎ−１となると（ステップＳ３０６：Ｙｅｓ）、制御部２３３は、通信障害の原因は光モジュールの常時発光ではないと判断し（ステップＳ３１１）、処理を終了する。
【００８１】
このように本実施形態によれば、光通信システム１は、通信障害が発生すると、対応するＯＮＵ装置と光カプラ２１とを遮断させる光スイッチを順次切り替えながら通信障害が解消されたか否かを判定し、通信障害が解消されたと判定した時点で遮断させていた光スイッチのオフ状態を維持する制御手段を備える。
【００８２】
そのため、既存のＧＥ−ＰＯＮシステムにおいて、複数のＯＮＵ装置で共有されている光カプラを本実施形態の光分配器２０に置き換えるだけで、ＯＮＵ装置の光モジュールの常時発光による通信障害からの復旧を自動的に図ることができる。
【００８３】
また、光分配器２０にＯＬＴ装置１０との光通信が可能なＯＮＵ機能ブロック２３を搭載しているために、ＯＬＴ装置１０主導で、ＯＮＵ機能ブロック２３を制御し、ＯＮＵ装置の光モジュールの常時発光による通信障害からの復旧を自動的に図ることができる。
【００８４】
また、光分配器２０にＯＬＴ装置１０との光通信が可能なＯＮＵ機能ブロック２３を搭載しているために、ＯＬＴ装置１０とのリンクの切断により、光分配器２０側でＯＮＵ装置の光モジュールの常時発光による通信障害の発生を推定し、光分配器２０主導でＯＮＵ装置の光モジュールの常時発光による通信障害からの復旧を自動的に図ることができる。
【００８５】
また、複数のＯＮＵ装置３０−１〜３０−（Ｎ−１）に対応する光ファイバケーブル２４−１〜２４−（Ｎ−１）のそれぞれに光スイッチ２２−１〜２２−（Ｎ−１）を設けているために、各ＯＮＵ装置を個別に光回線から切り離すことができる。
【００８６】
また、本発明においては、ＯＮＵ装置とのリンク数、もしくは、ＯＬＴ装置１０と光機能ブロック２３との接続状態に基づいて通信障害の発生、あるいは、通信障害の解消が判定されるため、制御手段は、どの光ファイバケーブルにどのＯＮＵ装置が接続されているか、どの光スイッチを制御すべきであるか、といった情報を把握しておく必要が無い。そのため、簡易な構成で、ＯＮＵ装置の光モジュールの常時発光による通信障害の自動復旧を試みることができる。
【００８７】
（第２の実施形態）
第１の実施形態の光通信システム１においては、ＯＮＵ機能ブロック２３の光モジュール２３１の常時発光による通信障害が発生する場合もある。本発明の第２の実施形態においては、そのような場合にも、通信障害からの復旧を図ることができる光通信システムについて説明する。
【００８８】
図５は、本実施形態に係る光通信システム１Ａの構成を示す図である。なお、図５において、図１と同様の構成については同じ符号を付し、説明を省略する。
【００８９】
図５に示す光通信システム１Ａは、図１に示す光通信システム１と比較して、光スイッチ２２−Ｎが追加されている点と、スイッチ切り替え部２３２がスイッチ切り替え部２３２Ａに変更された点と、制御部１２，２３３が制御部１２Ａ，２３３Ａに変更された点と、が異なる。
【００９０】
制御部１２Ａは、ＯＬＴ装置１０全体の動作を制御する。なお、制御部１２Ａは、制御手段の一例である。
【００９１】
光スイッチ２２−Ｎは、ＯＮＵ機能ブロック２３に対応する光ファイバケーブル２４−Ｎ上に設けられている。光スイッチ２２−Ｎがオンとなることで、光カプラ２１とＯＮＵ機能ブロック２３とが接続され、光スイッチ２２−Ｎがオフとなることで、光カプラ２１とＯＮＵ機能ブロック２３とが遮断される。
【００９２】
スイッチ切り替え部２３２Ａは、光スイッチ２２−１〜２２−Ｎそれぞれのオン、オフを制御するスイッチ制御信号を出力する。なお、通常は、光スイッチ２２−１〜２２−Ｎは、オンである。
【００９３】
制御部２３３Ａは、光分配器２０全体の動作を制御する。なお、制御部２３３Ａは、制御手段の一例である。
【００９４】
次に、光通信システム１Ａの動作について説明する。
【００９５】
図６は、光通信システム１ＡのＯＬＴ装置１０主導の復旧動作時のフローチャートである。なお、図６において、図３と同様の処理については同じ符号を付し、説明を省略する。
【００９６】
制御部１２Ａは、変数Ｘ＝Ｎ−１となると（ステップＳ２０６：Ｙｅｓ）、ＯＮＵ機能ブロック２３の光モジュール２３１の常時発光診断動作を開始させる（ステップＳ４０１）。
【００９７】
図７は、光モジュール２３１の常時発光診断動作時のフローチャートである。
【００９８】
まず、制御部１２Ａは、光モジュール２３１の常時発光診断動作の開始を指示する制御データをＯＮＵ機能ブロック２３に送信する（ステップＳ５０１）。
【００９９】
光モジュール２３１の常時発光診断動作の開始を指示する制御データがＯＬＴ装置１０から送信されてくると、制御部２３３Ａは、通信障害の復旧動作を停止する（ステップＳ５０２）。
【０１００】
次に、スイッチ切り替え部２３２Ａは、ＯＮＵ機能ブロック２３に対応する光スイッチ２２−Ｎをオフにする（ステップＳ５０３）。光スイッチ２２−Ｎがオフになることで、ＯＮＵ機能ブロック２３が光回線から切り離された状態となる。この状態では、ＯＮＵ機能ブロック２３は、ＯＬＴ装置１０からの制御データを受信することができない。
【０１０１】
光スイッチ２２−Ｎをオフにした後、所定時間が経過すると、スイッチ切り替え部２３２Ａは、光スイッチ２２−Ｎをオンにする（ステップＳ５０４）。光スイッチ２２−Ｎがオンになることで、ＯＮＵ機能ブロック２３は、ＯＬＴ装置１０とのリンクを再確立する（ステップＳ５０５）。なお、所定時間とは、ＯＬＴ装置１０が、ＯＮＵ機能ブロック２３との接続状態の変化を検出し、また、リンク数を検出するのに十分な時間である。
【０１０２】
次に、制御部２３３Ａは、光モジュール２３１の常時発光診断動作が完了した旨を通知する制御データをＯＬＴ装置１０に送信する（ステップＳ５０６）。
【０１０３】
常時発光診断動作が完了した旨を通知する制御データが光分配器２０から送信されてくると、制御部１２Ａは、常時発光診断動作の開始を指示した後、常時発光診断動作が完了した旨の通知を受信するまでの間に、リンク数が一時的に正常な値となり、その後、リンク数が再び減少したか否かを判定する（ステップＳ５０７）。
【０１０４】
常時発光診断動作中にリンク数が一時的に正常な値になった場合には（ステップＳ５０７：Ｙｅｓ）、制御部１２Ａは、光モジュール２３１が常時発光していると判断し、その旨を通知する制御データを光分配器２０に送信する（ステップＳ５０８）。
【０１０５】
光モジュール２３１が常時発光している旨を通知する制御データが送信されてくると、スイッチ切り替え部２３２Ａは、光スイッチ２２−Ｎをオフにする（ステップＳ５０９）。光スイッチ２２−Ｎがオフになることで、ＯＮＵ機能ブロック２３が光回線から切り離される。
【０１０６】
次に、制御部１２Ａは、リンク数が正常な値になったことを確認し（ステップＳ５１０）、通信障害は復旧したと判断して（ステップＳ５１１）、処理を終了する。
【０１０７】
常時発光診断動作中にリンク数が一時的に正常な値になっていない場合には（ステップＳ５０７：Ｎｏ）、制御部１２Ａは、通信障害の原因は光モジュールの常時発光ではないと判断し（ステップＳ５１２）、処理を終了する。
【０１０８】
このように本実施形態によれば、光通信システム１Ａは、ＯＮＵ機能ブロック２３に対応する光スイッチ２２−Ｎをさらに有している。
【０１０９】
そのため、ＯＮＵ機能ブロック２３の光モジュール２３１が常時発光している場合にも、光モジュール２３１の常時発光による通信障害から復旧することができる。
【０１１０】
上記の実施形態の一部または全部は、以下の付記のようにも記載されうるが、以下には限られない。
【０１１１】
（付記１）
局側装置と、複数の加入者装置と、前記局側装置と前記複数の加入者装置との間に設けられた光分配器と、を備える光通信システムであって、
前記光分配器は、
前記局側装置と光伝送路を介して接続されるとともに、該光伝送路を前記複数の加入者装置それぞれに対応する複数の光伝送路に分岐する光カプラと、
前記複数の光伝送路のそれぞれに設けられた複数の光スイッチと、を有し、
前記光通信システムに通信障害が発生すると、対応する加入者装置と前記光カプラとを遮断させる光スイッチを順次切り替えながら前記通信障害が解消されたか否かを判定し、前記通信障害が解消されたと判定した時点で遮断させている光スイッチの遮断状態を維持する制御手段を備えることを特徴とする光通信システム。
【０１１２】
（付記２）
付記１記載の光通信システムにおいて、
前記制御手段は、前記局側装置および前記光分配器にそれぞれ設けられ、
前記光分配器は、
光信号の入出力を行う光モジュールをさらに有し、
前記光カプラは、前記局側装置と接続される光伝送路を前記光モジュールに対応してさらに分岐し、
前記光通信システムに通信障害が発生した際に、前記局側装置と前記光モジュールとが光通信可能である場合には、前記局側装置に設けられた制御手段が、前記複数の光スイッチの制御を行い、前記局側装置と前記光モジュールとが光通信可能でない場合には、前記光分配器に設けられた制御手段が、前記複数の光スイッチの制御を行うことを特徴とする光通信システム。
【０１１３】
（付記３）
付記２記載の光通信システムにおいて、
前記光モジュールに対応する光伝送路に設けられた光スイッチをさらに備え、
前記制御手段は、前記光通信システムに通信障害が発生すると、前記光スイッチに前記光モジュールと前記光カプラとを遮断させ、前記通信障害が解消されたか否かを判定することを特徴とする光通信システム。
【０１１４】
（付記４）
局側装置と、複数の加入者装置と、前記局側装置と前記複数の加入者装置との間に設けられた光分配器と、を備える光通信システムの制御方法であって、
前記光分配器は、
前記局側装置と光伝送路を介して接続されるとともに、該光伝送路を前記複数の加入者装置それぞれに対応する複数の光伝送路に分岐する光カプラと、
前記複数の光伝送路のそれぞれに設けられた複数の光スイッチと、を有し、
制御手段が、前記光通信システムに通信障害が発生すると、対応する加入者装置と前記光カプラとを遮断させる光スイッチを順次切り替えながら前記通信障害が解消されたか否かを判定し、前記通信障害が解消されたと判定した時点で遮断させていた光スイッチの遮断状態を維持することを特徴とする制御方法。
【０１１５】
（付記５）
付記４記載の制御方法において、
前記制御手段は、前記局側装置および前記光分配器にそれぞれ設けられ、
前記光分配器は、
光信号の入出力を行う光モジュールをさらに有し、
前記光カプラは、前記局側装置と接続される光伝送路を前記光モジュールに対応してさらに分岐し、
前記光通信システムに通信障害が発生した際に、前記局側装置と前記光モジュールとが光通信可能である場合には、前記局側装置に設けられた制御手段が、前記複数の光スイッチの制御を行い、前記局側装置と前記光モジュールとが光通信可能でない場合には、前記光分配器に設けられた制御手段が、前記複数の光スイッチの制御を行うことを特徴とする制御方法。
【０１１６】
（付記６）
付記４記載の光通信システムにおいて、
前記光モジュールに対応する光伝送路に設けられた光スイッチをさらに備え、
前記制御手段は、前記光通信システムに通信障害が発生すると、前記光スイッチに前光モジュールと前記光カプラとを遮断させ、前記通信障害が解消されたか否かを判定することを特徴とする制御方法。
【０１１７】
（付記７）
光通信システムを構成し、局側装置と複数の加入者装置との間に設けられた光分配器であって、
前記局側装置と光伝送路を介して接続されるとともに、該光伝送路を前記複数の加入者装置それぞれに対応する複数の光伝送路に分岐する光カプラと、
前記複数の光伝送路のそれぞれに設けられた複数の光スイッチと、を有し、
前記光通信システムに通信障害が発生すると、対応する加入者装置と前記光カプラとを遮断させる光スイッチを順次切り替えながら前記通信障害が解消されたか否かを判定し、前記通信障害が解消されたと判定した時点で遮断させていた光スイッチの遮断状態を維持する制御部と、を有することを特徴とする光分配器。
【０１１８】
（付記８）
付記７記載の光分配器において、
光信号の入出力を行う光モジュールと、
前記局側装置と接続された光伝送路が前記光カプラにより前記光モジュールに対応して分岐された光伝送路に設けられた光スイッチと、をさらに備えることを特徴とする光分配器。
【符号の説明】
【０１１９】
１    光通信システム
１０    ＯＬＴ装置
１１，２３１，３１−１〜３１−（Ｎ−１）    光モジュール
１２，１２Ａ    制御部
１３，２４−１〜２４−Ｎ    光ファイバケーブル
２１    光カプラ
２２−１〜２２−Ｎ    光スイッチ
２３    ＯＮＵ機能ブロック
２３２，２３２Ａ    スイッチ切り替え部
２３３，２３３Ａ    制御部
３０−１〜３０−Ｎ    ＯＮＵ装置
【図１】
2014171079.tif 000003
【図２】
2014171079.tif 000004
【図３】
2014171079.tif 000005
【図４】
2014171079.tif 000006
【図５】
2014171079.tif 000007
【図６】
2014171079.tif 000008
【図７】
2014171079.tif 000009
【図８】
2014171079.tif 000010
【図９】
2014171079.tif 000011
【図１０】
2014171079.tif 000012